(57)【要約】【課題】ロールや動力、案内部材など複雑な機構を必要としないシンプルな構成とすることによって、作業者の手による枚葉台紙のラベル剥離作業を簡易化し作業能率を向上させると共に、安全にラベル剥離作業を行うことのできるラベル剥離用治具およびラベル剥離方法を提供する。【解決手段】ラベル剥離用治具１０は、所定の方向に並ぶよう設けられた複数の枚葉台紙押付け部２０を備えており、枚葉台紙押付け部２０は少なくとも１つの直線状に延びる隅部２１を有している。各枚葉台紙押付け部２０は、各隅部２１が１つの平面上で互いに平行となるように位置するよう構成されている。支持部１２に支持されている枚葉台紙押付け部２０に枚葉台紙３０を押し付けることにより当該枚葉台紙３０を湾曲させ、ラベル３２の剥離を行う。【選択図】図１
2017210247.tif 000002
【特許請求の範囲】
【請求項１】
枚葉台紙からラベルを剥離するためのラベル剥離用治具であって、
所定の方向に並ぶよう設けられ、少なくとも１つの直線状に延びる隅部を各々が有する複数の枚葉台紙押付け部と、
各前記枚葉台紙押付け部を支持する支持部と、
を備え、
各前記枚葉台紙押付け部は、各前記隅部が１つの平面上で互いに平行となるように位置するような構成となっていることを特徴とする、ラベル剥離用治具。
【請求項２】
枚葉台紙を位置決めするための位置決め機構が前記支持部に設けられている、請求項１記載のラベル剥離用治具。
【請求項３】
前記位置決め機構は、前記支持部の上面から垂直方向に延びる、９０°の角度をなす２つの枚葉台紙規制部を有している、請求項２記載のラベル剥離用治具。
【請求項４】
前記隅部の角度θ１は、以下の式で規定される大きさである、請求項１乃至３のいずれか一項に記載のラベル剥離用治具。
ｃｏｓ−１[（Ｔ２＋Ｃ２−（Ａ＋Ｂ）２）／２ＴＣ］≦θ１≦２ｓｉｎ−１［（（Ａ＋Ｂ）／２）／√（Ｔ２+（（Ａ＋Ｂ）／２）２）］
Ｔ：前記枚葉台紙押付け部の高さ
Ａ：ラベルの長さ
Ｂ：ラベル間の距離
Ｃ：前記枚葉台紙押付け部における前記支持部との接触箇所から前記隅部まで延びる平面のうち最も大きな平面である第２平面の長さ
【請求項５】
前記枚葉台紙押付け部は、前記支持部との接触箇所から前記隅部まで延びる平面のうち最も小さな平面である第１平面を有しており、前記支持部の上面と前記第１平面とのなす角度θ２は以下の式で規定される大きさである、請求項１乃至４のいずれか一項に記載のラベル剥離用治具。
ｓｉｎ−１［Ｔ／√（Ｔ２+（（Ａ＋Ｂ）／２））２］≦θ２≦９０°
Ｔ：前記枚葉台紙押付け部の高さ
Ａ：ラベルの長さ
Ｂ：ラベル間の距離
【請求項６】
枚葉台紙からラベルを剥離するためのラベル剥離方法であって、
所定の方向に並ぶよう設けられ、少なくとも１つの直線状に延びる隅部を各々が有する複数の枚葉台紙押付け部および各前記枚葉台紙押付け部を支持する支持部を有するラベル剥離用治具を準備する工程と、
ラベルが貼付されている枚葉台紙を各前記枚葉台紙押付け部の前記隅部に載せる工程と、
各前記枚葉台紙押付け部の間の空間に枚葉台紙を押し付けて当該枚葉台紙を湾曲させることにより枚葉台紙からラベルを剥離する工程と、
を備えたことを特徴とする、ラベル剥離方法。
【請求項７】
ラベルが貼付されている枚葉台紙には目印が設けられており、
ラベルが貼付されている枚葉台紙を各前記枚葉台紙押付け部の前記隅部の上に載せる際に、前記目印を各前記枚葉台紙押付け部の前記隅部に位置合わせすることによって枚葉台紙の位置決めを行う、請求項６記載のラベル剥離方法。
【請求項８】
各前記隅部の両側に存在する空間に枚葉台紙を押し付けることによって枚葉台紙を湾曲させることによりラベルを剥離する、請求項６または７記載のラベル剥離方法。
【発明の詳細な説明】
【技術分野】
【０００１】
本発明は、枚葉台紙からラベルを剥離するためのラベル剥離用治具およびラベル剥離方法に関する。
【背景技術】
【０００２】
従来から、製品やパッケージ等に貼付されるラベルは一般的に剥離紙に貼られており、製品やパッケージ等にラベルを貼付する際には、剥離紙からラベルを剥離する作業が行われている。たとえば、特許文献１には、連続する帯状の台紙を、複数の案内部材を備えたラベル剥離装置にセットし、台紙の搬送経路に鋭い屈曲部を持たせることによって台紙を折り返し、剥離紙とラベルの剛性の違いを利用することによりラベルの剥離を行う技術が開示されている。
【先行技術文献】
【特許文献】
【０００３】
【特許文献１】実開平６−７２８１７号公報
【発明の概要】
【発明が解決しようとする課題】
【０００４】
ここで、特許文献１に開示される装置は、連続する帯状の台紙に貼付されているラベルを剥離する装置に関するものであり、枚葉状の台紙に貼付されているラベルを剥離するものではない。また、特許文献１に開示される装置は、台紙の搬送経路中に設けられた鋭い屈曲部によって台紙を折り返すことによりラベルの剥離を行うため、複数の案内部材や、台紙を搬送してロールで巻き取りを行う動力や、台紙を固定する機構が必要である。また、ラベル剥離装置を利用しない場合には、作業者の手により枚葉台紙を固定してラベルの剥離作業を行うため、手間のかかる両手での作業となり、更にラベルの隅を折り曲げる等ラベルを損傷する恐れがある。
【０００５】
本発明は、このような点を考慮してなされたものであり、ロールや動力、案内部材など複雑な機構を必要としないシンプルな構成とすることによって、作業者の手による枚葉台紙のラベル剥離作業を簡易化し作業能率を向上させると共に、安全にラベル剥離作業を行うことのできるラベル剥離用治具およびラベル剥離方法を提供することを目的とする。
【課題を解決するための手段】
【０００６】
本発明のラベル剥離用治具は、枚葉台紙からラベルを剥離するためのラベル剥離用治具であって、所定の方向に並ぶよう設けられ、少なくとも１つの直線状に延びる隅部を各々が有する複数の枚葉台紙押付け部と、各前記枚葉台紙押付け部を支持する支持部と、を備え、各前記枚葉台紙押付け部は、各前記隅部が１つの平面上で互いに平行となるように位置するような構成となっていることを特徴とする。
【０００７】
このようなラベル剥離用治具によれば、作業者は、各枚葉台紙押付け部の間の空間に枚葉台紙を押し付けて当該枚葉台紙を湾曲させることにより、片手でラベルを剥離することが可能となるため、簡易かつ能率よくラベルを剥離することができ、しかもラベルを損傷する可能性を低減させることができる。
【０００８】
本発明のラベル剥離用治具においては、枚葉台紙を位置決めするための位置決め機構が前記支持部に設けられていてもよい。
【０００９】
この場合、前記位置決め機構は、前記支持部の上面から垂直方向に延びる、９０°の角度をなす２つの枚葉台紙規制部を有していてもよい。
【００１０】
本発明のラベル剥離用治具においては、前記隅部の角度θ１は、以下の式で規定される大きさであってもよい。
ｃｏｓ−１[（Ｔ２＋Ｃ２−（Ａ＋Ｂ）２）／２ＴＣ］≦θ１≦２ｓｉｎ−１［（（Ａ＋Ｂ）／２）／√（Ｔ２+（（Ａ＋Ｂ）／２）２）］
ここで、Ｔは枚葉台紙押付け部の高さ、Ａはラベルの長さ、Ｂはラベル間の距離、Ｃは枚葉台紙押付け部における支持部との接触箇所から隅部まで延びる平面のうち最も大きな平面である第２平面の長さである。
【００１１】
本発明のラベル剥離用治具においては、前記枚葉台紙押付け部は、前記支持部との接触箇所から前記隅部まで延びる平面のうち最も小さな平面である第１平面を有しており、前記支持部の上面と前記第１平面とのなす角度θ２は以下の式で規定される大きさであってもよい。
ｓｉｎ−１［Ｔ／√（Ｔ２+（（Ａ＋Ｂ）／２））２］≦θ２≦９０°
ここで、Ｔは枚葉台紙押付け部の高さ、Ａはラベルの長さ、Ｂはラベル間の距離である。
【００１２】
本発明のラベル剥離方法は、枚葉台紙からラベルを剥離するためのラベル剥離方法であって、所定の方向に並ぶよう設けられ、少なくとも１つの直線状に延びる隅部を各々が有する複数の枚葉台紙押付け部および各前記枚葉台紙押付け部を支持する支持部を有するラベル剥離用治具を準備する工程と、ラベルが貼付されている枚葉台紙を各前記枚葉台紙押付け部の前記隅部に載せる工程と、各前記枚葉台紙押付け部の間の空間に枚葉台紙を押し付けて当該枚葉台紙を湾曲させることにより枚葉台紙からラベルを剥離する工程と、を備えたことを特徴とする。
【００１３】
このようなラベル剥離方法によれば、作業者は、各枚葉台紙押付け部の間の空間に枚葉台紙を押し付けて当該枚葉台紙を湾曲させることにより、片手でラベルを剥離することが可能となるため、簡易かつ能率よくラベルを剥離することができ、しかもラベルを損傷する可能性を低減させることができる。
【００１４】
本発明のラベル剥離方法においては、ラベルが貼付されている枚葉台紙には目印が設けられており、ラベルが貼付されている枚葉台紙を各前記枚葉台紙押付け部の前記隅部の上に載せる際に、前記目印を各前記枚葉台紙押付け部の前記隅部に位置合わせすることによって枚葉台紙の位置決めを行うようになっていてもよい。
【００１５】
本発明のラベル剥離方法においては、各前記隅部の両側に存在する空間に枚葉台紙を押し付けることによって枚葉台紙を湾曲させることによりラベルを剥離してもよい。
【発明の効果】
【００１６】
本発明のラベル剥離用治具およびラベル剥離方法によれば、ロールや動力、案内部材など複雑な機構を必要としないシンプルな構成とすることによって、作業者の手による枚葉台紙のラベル剥離作業を簡易化し作業能率を向上させると共に、安全にラベル剥離作業を行うことができる。
【図面の簡単な説明】
【００１７】
【図１】本発明の実施の形態によるラベル剥離用治具の構成を概略的に示す斜視図である。
【図２】図１に示すラベル剥離用治具の構成を示す側面図である。
【図３】図１や図２に示すラベル剥離用治具によりラベルを剥離する動作を示す側面図である。
【図４】図１や図２に示すラベル剥離用治具の一例における各パラメータを説明するための側面図である。
【図５】図１や図２に示すラベル剥離用治具の他の例における各パラメータを説明するための側面図である。
【図６】図５に示す例において角度θ１の上限値および角度θ２の下限値を算出する際に用いられる三角形を示す図である。
【図７】他の変形例に係るラベル剥離用治具の構成を示す側面図である。
【図８】更に他の変形例に係るラベル剥離用治具の構成を示す側面図である。
【図９】更に他の変形例に係るラベル剥離用治具の構成を示す上面図である。
【発明を実施するための形態】
【００１８】
以下に、図面を参照して本発明の実施の形態について説明する。図１乃至図５は、本実施の形態によるラベル剥離用治具を示す図である。このうち、図１は、本実施の形態によるラベル剥離用治具の構成を示す斜視図であり、図２は、図１に示すラベル剥離用治具の側面図である。また、図３は、図１や図２に示すラベル剥離用治具によりラベルを剥離する動作を示す側面図であり、図４は、図１や図２に示すラベル剥離用治具の一例における各パラメータを説明するための側面図であり、図５は、図１や図２に示すラベル剥離用治具の他の例における各パラメータを説明するための側面図である。
【００１９】
図１および図２に示すように、本実施の形態によるラベル剥離用治具１０は、平板状の支持部１２と、当該支持部１２の上面の角を挟む２つの端縁から垂直方向に延びる２つの平板状の枚葉台紙規制部１４、１６と、支持部１２の上面に支持される複数の枚葉台紙押付け部２０とを備えている。各枚葉台紙押付け部２０は、支持部１２の短手方向（図１における左右方向）に沿って直線状に延びている。また、複数の枚葉台紙押付け部２０が支持部１２の長手方向（図１における奥行き方向）において互いに平行に配置されている。そして、枚葉台紙３０から各ラベル３２を剥離するにあたり、各ラベル３２が貼付された枚葉台紙３０を各枚葉台紙押付け部２０にまたがるように載置するようになっており、当該枚葉台紙３０の位置決めには枚葉台紙規制部１４、１６を利用するようになっている。このようなラベル剥離用治具１０の詳細について以下に説明する。
【００２０】
上述のように、各枚葉台紙規制部１４、１６は支持部１２の上面の角を挟む２つの端縁から垂直方向に延びる平板状の部材から構成されており、枚葉台紙３０の位置決めは、当該枚葉台紙３０を各枚葉台紙押付け部２０に載置したのち、各枚葉台紙規制部１４、１６へ押し付けることにより行うことができるようになっている。また、図１に示すように、枚葉台紙３０の側端縁の近傍にあらかじめ目印３４が設けられている場合には、当該目印３４の位置を、各枚葉台紙押付け部２０の隅部２１の位置に合わせることにより、枚葉台紙３０の位置決めを行うことができるようになっている。
【００２１】
図２に示すように、各枚葉台紙押付け部２０の側面の形状は、角度θ２の角度が９０°であるような直角三角形状となっており、各枚葉台紙押付け部２０は、各々の隅部２１が１つの平面上で互いに平行となるように位置するような構成となっている。このように、各隅部２１が同一平面上に位置しているため、各ラベル３２が貼付された枚葉台紙３０を各隅部２１に載置することができるようになっている。各枚葉台紙押付け部２０は、位置決め後の枚葉台紙３０の水平方向の位置ずれを更に防ぐように、弾性ゴム等のすべりにくい部材から構成されていてもよいし、プラスチックや金属等、更には他の材料から構成されていてもよい。なお、各枚葉台紙押付け部２０は、ラベル３２の剥離を行いやすいように、所定の間隔をあけて支持部１２に支持されている。
【００２２】
各枚葉台紙押付け部２０において、隅部２１の角度（図２乃至図５において参照符号θ１で表示）は、図４に示すように枚葉台紙押付け部２０の断面の形状が直角三角形であるときに最小となり、図５に示すように枚葉台紙押付け部２０の断面の形状が二等辺三角形であるときに最大となる。このため、隅部２１の角度θ１は、以下の式で規定される大きさとなる。
ｃｏｓ−１[（Ｔ２＋Ｃ２−（Ａ＋Ｂ）２）／２ＴＣ］≦θ１≦２ｓｉｎ−１［（（Ａ＋Ｂ）／２）／√（Ｔ２+（（Ａ＋Ｂ）／２）２）］
ここで、Ｔは枚葉台紙押付け部２０の高さ（図４における支持部１２の上面から枚葉台紙３０の下面までの距離）、Ａはラベル３２の長さ（図４における左右方向の長さＡ）、Ｂはラベル３２間の距離（図４における左右方向の幅Ｂ）、Ｃは支持部１２との接触箇所から隅部２１まで延びる平面のうち最も大きな平面である第２平面２０ｂの長さである。本式における角度θ１の下限値ｃｏｓ−１[（Ｔ２＋Ｃ２−（Ａ＋Ｂ）２）／２ＴＣ］は、図４に示す枚葉台紙押付け部２０の断面における直角三角形の角度θ１に対して余弦定理を適用することにより得られる以下の式
（Ａ＋Ｂ）２＝Ｔ２＋Ｃ２−２ＴＣｃｏｓθ１
を変形することにより得られる。すなわち、
θ１＝ｃｏｓ−１[（Ｔ２＋Ｃ２−（Ａ＋Ｂ）２）／２ＴＣ］
となる。
【００２３】
一方、本式における角度θ１の上限値２ｓｉｎ−１［（（Ａ＋Ｂ）／２）／√（Ｔ２+（（Ａ＋Ｂ）／２）２）］は、図５に示す二等辺三角形の角度θ１に角の二等分線を引くことにより得られる三角形の角度θ１／２（図６参照）に、三角関数の直角三角形による定義を利用することにより得られる以下の式
ｓｉｎ（θ１／２）＝［（Ａ＋Ｂ）／２］／Ｃ
にピタゴラスの定理を利用して得られる式
Ｃ＝［Ｔ２＋（（Ａ＋Ｂ）／２）２］１／２
を適用することにより得られる。
ｓｉｎ（θ１／２）＝［（Ａ＋Ｂ）／２］／［Ｔ２＋（（Ａ＋Ｂ）／２）２］１／２
すなわち、
θ１＝２ｓｉｎ−１［｛（Ａ＋Ｂ）／２｝／｛Ｔ２＋（（Ａ＋Ｂ）／２）２｝１／２］
となる。
【００２４】
隅部２１の角度θ１の下限値を示す図４における例において、枚葉台紙押付け部２０の高さＴ等の各パラメータを利用して角度θ１を計算すると、約５７°となる。ここで、Ｔ＝３０ｍｍ、Ａ＝４２ｍｍ、Ｂ＝４ｍｍであり、Ｃの値は上述のようにこれらＴ、ＡおよびＢの値を利用することにより求められる。一方、隅部の角度θ１の上限値を示す図５における例において、枚葉台紙押付け部２０等の上記各パラメータを利用して角度θ１を計算すると、約７５°となる。
【００２５】
なお、隅部２１の角度θ１が式ｃｏｓ−１[（Ｔ２＋Ｃ２−（Ａ＋Ｂ）２）／２ＴＣ］により算出される角度よりも小さい場合には、隅部２１が鋭すぎることにより枚葉台紙３０を湾曲させる際に当該枚葉台紙３０が過度に湾曲してしまい、ラベル３２を剥がしにくくなってしまうという問題がある。また、隅部２１の角度θ１が式２ｓｉｎ−１［（（Ａ＋Ｂ）／２）／√（Ｔ２+（（Ａ＋Ｂ）／２）２）］により算出される角度よりも大きい場合には、隅部２１の両側の空間に枚葉台紙３０を押し当てても当該枚葉台紙３０の湾曲の度合いが小さくなってしまうという問題がある。
【００２６】
また、各枚葉台紙押付け部２０は、支持部１２との接触箇所から隅部２１まで延びる第１平面２０ａを有している。本実施の形態では、支持部１２の上面と第１平面２０ａとのなす角度（図２乃至図５において参照符号θ２で表示）は、図４に示すように枚葉台紙押付け部２０の断面が直角三角形である場合には９０°となるが、このような角度θ２は以下の式で規定されている範囲内の大きさとなっていてもよい。
ｓｉｎ−１［Ｔ／√（Ｔ２+（（Ａ＋Ｂ）／２））２］≦θ２≦９０°
本式における下限値の角度ｓｉｎ−１［Ｔ／√（Ｔ２+（（Ａ＋Ｂ）／２））２］は、図５に示す二等辺三角形において、角度θ２に三角関数の直角三角形（図６参照）による定義を利用することにより得られる以下の式
ｓｉｎ（θ２）＝Ｔ／Ｃ
にピタゴラスの定理を利用して得られる式
Ｃ＝［Ｔ２＋（（Ａ＋Ｂ）／２）２］１／２
を適用することにより得られる。すなわち、
θ２＝ｓｉｎ−１［Ｔ／√（Ｔ２+（（Ａ＋Ｂ）／２））２］
となる。
【００２７】
隅部２１の角度θ１の下限値を示す例である図４において、支持部１２の上面と第１平面２０ａとのなす角度θ２は９０°であり、隅部２１の角度θ１の上限値を示す図５における例において、枚葉台紙押付け部２０の高さＴ等の各パラメータの値を利用してθ２の上限値を求めると、約５３°となる。ここで、Ｔ＝３０ｍｍ、Ａ＝４２ｍｍ、Ｂ＝４ｍｍであり、Ｃの値は上述のようにこれらＴ、ＡおよびＢの値を利用することにより求められる。
【００２８】
なお、角度θ２が式ｓｉｎ−１［Ｔ／√（Ｔ２+（（Ａ＋Ｂ）／２））２］により算出される角度よりも小さい場合や９０°よりも大きい場合には、隅部２１の左側の空間に作業者が親指を入れて枚葉台紙３０を湾曲させても、当該枚葉台紙３０からラベル３２を剥がしにくくなってしまうという問題がある。
【００２９】
次に、このような構成からなるラベル剥離用治具１０を用いた枚葉台紙３０からのラベル３２の剥離方法について図２および図３を用いて説明する。
【００３０】
最初に、作業者は各枚葉台紙押付け部２０に枚葉台紙３０を載置した後、枚葉台紙規制部１４、１６を利用して、または当該枚葉台紙３０に設けられた目印３４を利用して枚葉台紙３０の位置決めを行う。このことにより、図２に示す状態のように、枚葉台紙３０および各ラベル３２と、各枚葉台紙押付け部２０との位置関係を定めることができる。具体的には、隅部２１がラベル３２の端縁よりもわずかに内側に位置するようにする。
【００３１】
次に、剥離されるべきラベル３２の近傍にある枚葉台紙３０の２つの個所（具体的には、隅部２１を挟んだ２つの個所）が、作業者の手（図３において参照符号Ｈで表示）により、枚葉台紙押付け部２０の左右にある空間に向かって下向きに押し付けられる。このことにより、枚葉台紙３０が図３に示す状態にあるように隅部２１を中心として上に凸になるように湾曲する。このように枚葉台紙３０が湾曲すると、枚葉台紙３０とラベル３２との間で剛性に差があるため、図３に示すように、より剛性の高いラベル３２がその端部より剥離し始める。このように、片持ち状態になったラベル３２を、作業者が例えば親指で剥離することにより、ラベル剥離用治具１０を利用したラベル剥離動作が完了する。
【００３２】
以上のような構成からなるラベル剥離用治具１０およびこのようなラベル剥離用治具１０を用いたラベル剥離方法によれば、上述したように、枚葉台紙押付け部２０は所定の方向に並ぶよう設けられ、少なくとも１つの直線状に延びる隅部２１を各々が有している。しかも、各枚葉台紙押付け部２０は、各隅部２１が１つの平面上で互いに平行となるように位置するような構成となっている。このことにより、作業者は、各枚葉台紙押付け部２０の両側にある空間に枚葉台紙３０を押し付けて当該枚葉台紙３０を湾曲させることにより、片手でラベル３２を剥離することが可能となる。このようにして、ロールや動力、案内部材など複雑な機構を必要としないシンプルな構成により、枚葉台紙３０からラベル３２を容易に剥離することができるようになる。
【００３３】
なお、本実施の形態によるラベル剥離用治具は上述したような態様に限定されることはなく、様々な変更を加えることができる。
【００３４】
例えば、本実施の形態によるラベル剥離用治具１０において、枚葉台紙規制部の数は２つに限定されることはなく、３つ以上あってもよいし、１つでもよい。また、枚葉台紙３０に設けられた目印３４を用いる場合には、枚葉台紙規制部が設けられていなくてもよい。このように、３つ以上または１つの枚葉台紙規制部、あるいは枚葉台紙３０に設けられた目印３４のみを利用して枚葉台紙３０の位置決めを行った場合においても、当該枚葉台紙３０を湾曲させてラベル３２の剥離を容易に行うことができる。
【００３５】
また、各枚葉台紙押付け部２０は、各隅部２１が位置する平面が支持部１２の上面と平行である平面上に位置する必要はない。各隅部２１が位置する平面が支持部１２の上面と平行でない場合には、枚葉台紙３０は支持部１２の上面に対して傾斜した状態で載置されるが、枚葉台紙３０の短手側にある枚葉台紙規制部１６を、側面側から見て低い方の端部に配置することにより、作業者の力のみでなく、重力を利用して当該枚葉台紙３０の位置決めを行うことができる。
【００３６】
また、図７に示すラベル剥離用治具１０ａのように、各枚葉台紙押付け部２４の側面の形状は、三角形状に限定されることはなく、台形状であってもよい。この場合にも、各枚葉台紙押付け部２４の両側にある空間に枚葉台紙３０を押し付けて湾曲させることにより、ラベル３２の剥離をスムーズに行うことができる。
【００３７】
また、図８に示すラベル剥離用治具１０ｂのように、各枚葉台紙押付け部２６の側面の形状は、三角形状や四角形状に限定されることはなく、五角形状であってもよい。この場合にも、各枚葉台紙押付け部２６の両側にある空間に枚葉台紙３０を押し付けて湾曲させることにより、ラベル３２の剥離を行うことができる。
【００３８】
また、図９に示すような構成のラベル剥離用治具１０ｃが用いられてもよい。図９は、更に別の変形例に係るラベル剥離用治具１０ｃの構成を示す上面図である。図９に示すラベル剥離用治具１０ｃでは、ラベルが貼付されている枚葉台紙３０（図９において２点鎖線で表示）と枚葉台紙押付け部２８との位置関係は、枚葉台紙３０の短手方向と枚葉台紙押付け部２８の延びる方向とが一致することに限定されることはない。枚葉台紙押付け部２８が延びる方向に対して枚葉台紙３０の短手方向が傾いている場合にも、各枚葉台紙押付け部２８の両側にある空間に枚葉台紙３０を押し付けて湾曲させることにより、ラベル３２の剥離を行うことができる。
【符号の説明】
【００３９】
１０、１０ａ、１０ｂ、１０ｃ    ラベル剥離用治具
１２    支持部
１４、１６    枚葉台紙規制部
２０、２４、２６、２８    枚葉台紙押付け部
２０ａ  第１平面
２０ｂ  第２平面
２１    隅部
３０    枚葉台紙
３２    ラベル
３４    目印
【図１】
2017210247.tif 000003
【図２】
2017210247.tif 000004
【図３】
2017210247.tif 000005
【図４】
2017210247.tif 000006
【図５】
2017210247.tif 000007
【図６】
2017210247.tif 000008
【図７】
2017210247.tif 000009
【図８】
2017210247.tif 000010
【図９】
2017210247.tif 000011